(57)【要約】【課題】簡単な構成で、ユーザがプロセスカートリッジを扱う時の自由度と操作性が向上したプロセスカートリッジを提供すること。【解決手段】カートリッジ枠体に両手で持つときの最適形状と、片手で持つときの最適形状を併せ持つ把手部を設けることにより、ユーザが両手でも片手でも適宜選択可能で、プロセスカートリッジを容易に掴み、本体の設置場所によらず、画像形成装置本体に対してプロセスカートリッジを良好に着脱できるよう構成した。【選択図】図１
2006058757.tif 000002
【特許請求の範囲】
【請求項１】
電子写真画像形成装置本体に着脱可能なプロセスカートリッジにおいて、
電子写真感光体ドラムと、前記電子写真感光体ドラムに作用するプロセス手段と、前記電子写真感光体ドラム及びプロセス手段を支持するカートリッジ枠体と、を有し、ユーザが前記カートリッジ枠体を把持する際に、両手で持つときには前記第１の把手部を持ち、片手で持つときには前記第２の把手部を持つように前記カートリッジ枠体に、前記電子写真感光体ドラムの長手方向に沿って設けられた第１の把手部と、前記電子写真感光体ドラムの長手方向に沿って設けられた第２の把手部と、を設け、前記第２の把手部は前記第１の把手部に挟まれ、前記第２の把手部は前記第１の把手部と前記電子写真感光体ドラムの長手方向に沿った段差を持ち、前記段差は、前記装置本体に前記プロセスカートリッジを装着する際に上方となる側では、前記第２の把手部を前記第１の把手部より凹になるように設け、前記装置本体に前記プロセスカートリッジを装着する際に下方となる側では、前記第２の把手部を前記第１の把手部より凸になるように設けたことを特徴とするプロセスカートリッジ。
【請求項２】
前記第２の把手部は、前記装置本体に前記プロセスカートリッジを装着する際に下方となる側に把持可能で連続した平面を持ち、前記プロセスカートリッジ挿入方向に対して下流側となる面が上流側となる面より引っ込んでいることを特徴とする請求項１記載のプロセスカートリッジ。
【請求項３】
前記カートリッジ枠体は、前記装置本体に前記プロセスカートリッジを装着する際に上方に設けられた面に、前記電子写真感光体ドラムの長手方向と略平行に並んで設けられた複数個の滑り止めリブを有することを特徴とする請求項１又は２記載のプロセスカートリッジ。
【請求項４】
前記カートリッジ枠体は、前記装置本体に前記プロセスカートリッジを装着する際に上方となる側の端部に、前記電子写真感光体ドラムの長手方向と略垂直に並んで設けられた複数個の滑り止めリブを有することを特徴とする請求項１〜３の何れかに記載のプロセスカートリッジ。
【発明の詳細な説明】
【技術分野】
【０００１】
本発明は、特に寸法精度が要求される電子写真画像形成装置本体に着脱可能なプロセスカートリッジに関するものである。
【０００２】
ここで、電子写真画像形成装置とは、電子写真画像形成方式を用いて記録媒体に画像を形成するものであり、例えば電子写真複写機、電子写真プリンタ（例えばレーザービームプリンタ、ＬＥＤプリンタ等）、ファクシミリ装置及びワードプロセッサ等が含まれる。  又、プロセスカートリッジとは、プロセス手段としての帯電手段、現像手段又はクリーニング手段の少なくとも何れか１つと電子写真感光体とを一体的にカートリッジ化し、このカートリッジを画像形成装置本体に対して着脱可能とするものである。
【背景技術】
【０００３】
複写機、レーザプリンタ、ファクシミリ等の画像形成装置は、帯電装置によって一様に帯電された感光体ドラム（像担持体）に選択的な露光を行って静電潜像を形成し、この静電潜像を現像装置によってトナーを付着させてトナー像として現像し、その後、このトナー像を紙等の記録剤に転写して画像を形成する。そして、トナー像の転写後の像担持体は、表面に残留したトナーをクリーニング装置で除去されて、次の画像形成に供される。
【０００４】
近年では、感光体ドラム、帯電装置、現像装置、クリーニング装置等をカートリッジ容器に一体的に組み込んでプロセスカートリッジとしてカートリッジ化したものが知られている。このプロセスカートリッジは、画像形成装置本体に対して着脱自在に構成されているので、これをユーザが画像形成装置本体に装着することによって、トナーの供給や感光ドラムの交換をユーザ自信で簡単に行うことができ、メンテナンスの容易化を図っている。
【０００５】
前述のカートリッジのハウジングは、現像手段を支持する現像ユニット、或はクリーニング手段を支持するドラムユニット等の複数のユニットを結合させて構成している。
【０００６】
このようなプロセスカートリッジにおいては、画像形成装置本体に対して良好に着脱することができるように、把手部が設けられているものが開示されている（例えば、特許文献１，２参照）。
【０００７】
【特許文献１】特開平８−３３９１４７号公報（第４−５頁、図１０−図１２）
【特許文献２】特開平１０−１４９０８０号公報（第９−１４頁、図４−図１５）
【発明の開示】
【発明が解決しようとする課題】
【０００８】
本発明は、上述した手法を改良し、簡単な構成で、ユーザがプロセスカートリッジを扱う時に、プロセスカートリッジに設けた把手部を利用して両手でも片手でも適宜選択して容易に掴むことができるようにしたことで、自由度と操作性を向上させ、本体の設置場所によらず、画像形成装置本体に対してプロセスカートリッジを良好に着脱することができるプロセスカートリッジを提供することを目的とするものである。
【課題を解決するための手段】
【０００９】
上記目的を達成するため、本発明は、電子写真画像形成装置本体に着脱可能なプロセスカートリッジにおいて、電子写真感光体ドラムと、前記電子写真感光体ドラムに作用するプロセス手段と、前記電子写真感光体ドラム及びプロセス手段を支持するカートリッジ枠体と、を有し、ユーザが前記カートリッジ枠体を把持する際に、両手で持つときには前記第１の把手部を持ち、片手で持つときには前記第２の把手部を持つように前記カートリッジ枠体に、前記電子写真感光体ドラムの長手方向に沿って設けられた第１の把手部と、前記電子写真感光体ドラムの長手方向に沿って設けられた第２の把手部と、を設け、前記第２の把手部は前記第１の把手部に挟まれ、前記第２の把手部は前記第１の把手部と前記電子写真感光体ドラムの長手方向に沿った段差を持ち、前記段差は、前記装置本体に前記プロセスカートリッジを装着する際に上方となる側では、前記第２の把手部を前記第１の把手部より凹になるように設け、前記装置本体に前記プロセスカートリッジを装着する際に下方となる側では、前記第２の把手部を前記第１の把手部より凸になるように設けたことを特徴とする。
【発明の効果】
【００１０】
本発明によれば、ユーザがプロセスカートリッジを扱う時に、プロセスカートリッジに設けた把手部を利用して両手でも片手でも適宜選択して容易に掴むことができるようにしたことで、自由度と操作性を向上させ、本体の設置場所によらず、画像形成装置本体に対してプロセスカートリッジを良好に着脱することができる。
【発明を実施するための最良の形態】
【００１１】
以下に図面を参照して、この発明の好適な実施の形態を例示的に詳しく説明する。但し、この実施の形態に記載されている構成部品の寸法、材質、形状、その相対配置等は、特に特定的な記載がない限りは、この発明の範囲をそれらのみに限定する趣旨のものではない。又、以下の説明で一度説明した部材についての材質、形状等は、特に改めて記載しない限り初めの説明と同様のものである。
【００１２】
以下の説明において、プロセスカートリッジの長手方向とは、プロセスカートリッジを装置本体へ着脱する方向と交差する方向（略直交する方向、像担持体の軸線方向）であり、記録媒体の表面と平行であり、且つ、記録媒体の搬送方向と交差（略直交）する方向である。又、左右とは記録媒体の搬送方向に従って記録媒体を上から見て左又は右である。又、プロセスカートリッジの上面とは、プロセスカートリッジを装置本体へ装着した状態で上方に位置する面であり、下面とは下方に位置する面である。
【００１３】
（電子写真画像形成装置の全体の説明）
先ず、電子写真画像形成装置（以下、「画像形成装置」と言う）の全体構成について、図１１を参照して概略説明する。図１１は本実施の形態に係るプロセスカートリッジを装着した画像形成装置の模式的断面図であり、より具体的には画像形成装置の一形態であるレーザービームプリンタの模式的断面図である。
【００１４】
図１１に示すように、本実施の形態に係る画像形成装置（レーザービームプリンタ）Ａは、光学手段としての光学系１から画像情報に基づいた情報光をドラム形状の電子写真感光体（像担持体、以下、「感光体ドラム」と言う）７へ照射し、感光体ドラム７に静電潜像を形成する。この静電潜像は現像剤（以下、「トナー」と言う）で現像されトナー像が形成される。そして、前記トナー像の形成と同期して、記録媒体（例えば、記録紙、ＯＨＰシート、布等）２をカセット３ａからピックアップローラ３ｂ及びこれに圧接する圧接部材３ｃで１枚ずつ分離給送する。
【００１５】
給送された記録媒体２は、搬送ガイド３ｆ１に沿ってプロセスカートリッジＢの感光体ドラム７と転写手段としての転写ローラ４とが対向する転写部Ｔに搬送される。
【００１６】
転写部Ｔに搬送された記録媒体２は、電圧印加された転写ローラ４により感光体ドラム７上に形成されたトナー像が転写され、搬送ガイド３ｆ２に沿って定着手段５へと搬送される。
【００１７】
定着手段５は、駆動ローラ５ａとヒータ５ｂとを内蔵すると共に、支持体５ｃによって回転可能に支持された筒状シートで構成された定着回転体５ｄとから成り、通過する記録媒体２に熱及び圧力を印加して転写されたトナー像を定着する。
【００１８】
排出ローラ３ｄは、トナー像が定着された記録媒体２を搬送し、反転搬送経路を通して排出部６へと排出するよう構成している。尚、本実施の形態では、ピックアップローラ３ｂ、圧接部材３ｃ、排出ローラ３ｄ等により搬送手段３を構成している。
【００１９】
（プロセスカートリッジ）
次に、プロセスカートリッジの全体構成について図１２を参照して概略説明する。図１２は本実施の形態に係るプロセスカートリッジの模式的断面図である。
【００２０】
図１２に示すように、プロセスカートリッジＢは、感光体ドラムと、少なくとも１つのプロセス手段を備えたものである。ここでプロセス手段としては、例えば、感光体ドラムを帯電させる帯電手段、感光体ドラムに形成された静電潜像を現像する現像手段、感光体ドラムに残留するトナーをクリーニングするためのクリーニング手段等がある。
【００２１】
本実施の形態に係るプロセスカートリッジＢは、感光層を有する感光体ドラム７を回転し、帯電手段である帯電ローラ８へ電圧印加して前記感光体ドラム７の表面を一様に帯電し、この帯電した感光体ドラム７に対して前記光学系１からの画像情報に基づいた情報光（光像）を露光開口９ｂを通して露光して感光体ドラム７表面に静電潜像を形成し、該静電潜像を現像ユニット１０によって現像するように構成されている。
【００２２】
現像ユニット１０は、トナー枠体１４のトナー収容部であるトナー室１０ａ内のトナーを回転可能なトナー送り部材１０ｂと、トナー送り部材１０ｂの回転領域内で干渉して振動する弾性シート１２で送り出す。そして、固定磁石１０ｃを内蔵した現像回転体（現像剤担持体）である現像ローラ１０ｄを回転させると共に、現像ブレード１０ｅによって摩擦帯電電荷を付与したトナー層を現像ローラ１０ｄの表面に形成し、そのトナーを前記静電潜像に応じて感光体ドラム７に転移させることによってトナー像を形成して可視像化するものである。
【００２３】
そして、転写ローラ４に前記トナー像と逆極性の電圧を印加してトナー像を記録媒体２に転写した後は、クリーニングブレード１１ａによって感光体ドラム７に残留したトナーを掻き落とすと共に、スクイシート１１ｂによってすくい取り、除去トナー収容部１１ｃへ集めるクリーニング手段によって感光体ドラム７上の残留トナーを除去するように構成している。
【００２４】
本実施の形態に係るプロセスカートリッジＢは、感光体ドラム７を回転可能に支持し、クリーニングブレード１１ａ、帯電ローラ８が組み込まれたドラム枠体１１ｄから構成されるドラムユニット１１と、現像ローラ１０ｄ及びトナー室１０ａを組み込んだ現像枠体１０ｆ１から構成される現像ユニット１０とから成っている。そして、現像枠体１０ｆ１は、現像ローラ１０ｄが感光体ドラム７に対し所定の間隔をあけて平行に対向できるようにドラム枠体１１ｄに対し回動可能に支持され、現像ローラ１０ｄと感光体ドラム７との間の間隔保持を行う間隔保持部材（以下、「スペーサ」と言う）１０ｍを現像ローラ１０ｄの両端部に配置してある。
【００２５】
現像枠体１０ｆ１の両側面には端部部材１０ｇ，１０ｈが設けられている。現像枠体１０ｆ１は、現像ローラ１０ｄを含む現像ユニット１０を、クリーニングブレード１１ａを含むドラムユニット１１に回転可能に吊るための結合穴１０ｐ１，１０ｐ２が形成されたアーム部１０ｑ１，１０ｑ２を備える。又、現像ユニット１０とドラムユニット１１との間には間隔を保持するために所定の加圧力が与えられている。
【００２６】
（トナー枠体の構成）
次に、トナー枠体１４の構成を図３〜図１０を参照してより具体的に説明する。
【００２７】
トナー枠体１４は、図３及び図４に示すように、第１容器部である容器本体１４ａと、第２容器部である蓋部材１４ｂとを溶着して一体化したものである。
【００２８】
そして、トナー枠体１４の外壁部を構成する蓋部材１４ｂの上部には、感光体ドラム７の長手方向に沿ってプロセスカートリッジＢの把手部として、第１の把手部２１と第２の把手部２２が設けられている。第１の把手部２１と第２の把手部２２にはそれぞれ、把持位置２１ｂと把持位置２２ｂを設けている。又、トナー枠体の外壁を構成する容器本体１４ａの下部には、感光体ドラム７の長手方向に沿ってプロセスカートリッジＢの把手部として、第１の把手部２１と第２の把手部２２が設けられている。第１の把手部２１と第２の把手部２２にはそれぞれ把持位置２１ａと把持位置２２ａを設けている。
【００２９】
（プロセスカートリッジ両手持ちの説明）
第１の把手部２１は両手持ち用の把手部であって、図１及び図２に示すように、ユーザが容器本体１４ａの把持位置２１ａに親指を当てて、その他の指を蓋部材１４ｂの把持位置２１ｂに当ててプロセスカートリッジＢの後部側を両手で容易に把持することができる。
【００３０】
（プロセスカートリッジ方手持ちの説明）
第２の把手部２２は片手持ち用の把手部であって、第１の把手部２１に挟まれた場所に設け、図５及び図６に示すように、ユーザが蓋部材１４ｂの把持位置２２ｂに親指を当てて、その他の指を容器本体１４ａの把持位置２２ａに沿わせてプロセスカートリッジＢの後部側を片手で容易に把持することができる。
【００３１】
又、図７及び図８に示すように、ユーザが親指を容器本体１４ａの把持位置２２ａに沿わせ、その他の指を蓋部材１４ｂの把持位置２２ｂに入れても、プロセスカートリッジＢの後部側を片手で容易に把持することができる。
【００３２】
第２の把手部２２の把持位置２２ａは、プロセスカートリッジＢの挿入方向に対して下流側の把持面２５が上流側の把持面２６よりも引っ込むよう設けたため、ユーザが第２の把手部２２を片手で持つときにＣ字型に握りこみ、ユーザの指先で第２の把手部２２をロックするような状態でしっかりと把持することが可能であり、プロセスカートリッジＢを安全かつ容易に持ち運べるよう構成している。
【００３３】
（滑り止めリブの説明）
更に、トナー枠体１４においては、図３及び図４に示すように、蓋部材１４ｂの外面に、第１の把手部２１と第２の把手部２２の両方に凹凸形状の滑り止め部として、その上面側の長手方向沿ったリブ２３が形成されている。滑り止めリブ２３は、プロセスカートリッジＢを前述した持ち方でユーザが把持したさいに、ユーザの指に確実に接触して、抵抗を生み出すよう形成している。この滑り止めリブ２３により、ユーザがプロセスカートリッジＢをより確実に把持できる。
【００３４】
（プロセスカートリッジの画像形成装置への装着）
次に、前述のように構成されたプロセスカートリッジＢを画像形成装置Ａに装着するときの動作を図３、図４及び図１３〜図１５を参照して概略説明する。
【００３５】
先ず、画像形成装置Ａの開閉部材１５を開け、図１３及び図１５に示すようなカートリッジ装着スペース６０に上記プロセスカートリッジＢを装着する。
【００３６】
前述したカートリッジ装着スペース６０の右内側面には装着ガイド部材１６が取り付けてあり、左内側面には装着ガイド２０が取り付けてある。
【００３７】
装着ガイド部材１６には、プロセスカートリッジＢの右側面に設けられたダボ１３ａ、ガイド１３ｂを案内するための２筋のガイド部１６ａ，１６ｂが設けてあり、装着ガイド部材２０には、プロセスカートリッジＢの左側面に設けられたダボ１９ａ、ガイド１９ｂを案内するための２筋のガイド部２０ａ，２０ｂが設けてある。
【００３８】
ガイド部１６ａ，１６ｂにプロセスカートリッジＢのダボ１３ａ、ガイド１３ｂをそれぞれ沿わせ、ガイド部２０ａ，２０ｂにプロセスカートリッジＢのダボ１９ａ、ガイド１９ｂをそれぞれ沿わせ、プロセスカートリッジＢをカートリッジ装着スペース６０より挿入する。
【００３９】
プロセスカートリッジＢが押し込まれると、プロセスカートリッジのダボ１３ａ及びダボ１９ａは、ガイド部１６ａ及びガイド部２０ａを滑動して、それぞれ仮位置決め部１６ｆ及び位置決め部２０ｆへと案内される。
【００４０】
上記ダボ１３ａが仮位置決め部１６ｆに当接し、上記ダボ１９ａが位置決め部２０ｆに嵌合して、プロセスカートリッジＢのガイド１３ｂ及び１９ｂが装着ガイド部材１６のガイド１６ｂ及び装着ガイド部材２０のガイド２０ｂに支持された後、開閉部材１５を閉じることによって、画像形成装置Ａのねじり凹略三角形の駆動伝達部材６４に、プロセスカートリッジＢの三角カップリング６５が嵌り合い、プロセスカートリッジＢの画像形成装置Ａへの位置決め装着が完了し、プロセスカートリッジＢが画像形成可能な状態となり画像形成が開始される。
【００４１】
これによって、プロセスカートリッジＢは、感光ドラム７の軸を回転中心軸として回転し、仮位置決め部１６ｆに当接していたダボ１３ａは、仮位置決め部１６ｆと間隙を持つ。
【００４２】
このとき、特に上記プロセスカートリッジＢが大容量、大型カートリッジである場合、前述したプロセスカートリッジＢの把持方法のうち、図１及び図２に示した第１の把手部２１を両手で掴んで画像形成装置Ａに挿入するのがより安定し、扱い易い方法である。
【００４３】
一方、前述した図５〜図８に示した第２の把手部２２を片手で掴んで画像形成装置Ａに挿入することも勿論可能であり、ユーザに応じてプロセスカートリッジＢの持ち方に自由度を持たせている。
【００４４】
又、ユーザがプロセスカートリッジＢを画像形成装置Ａの開閉部材１５に向かって正面からは装着できず、画像形成装置ＡにプロセスカートリッジＢの挿入方向に対して直交する方向（以下、「横方向」と言う）から装着しなければならない場合もある（例えば、画像形成装置Ａが部屋の隅に設置されている場合等）。この場合のプロセスカートリッジＢの持ち方は、図９及び図１０に示すように、ユーザは右手で第２の把手部２２を掴み、左手は蓋部材１４ｂの上面側長手方向端部に、凹凸形状の滑り止め部として設けた、長手方向と略垂直な滑り止めリブ２４に親指を掛け、その他の指を容器本体１４ａに沿わせてプロセスカートリッジＢを把持する。
【００４５】
こうすることでプロセスカートリッジＢが安定し、ユーザが画像形成装置Ａの横方向からプロセスカートリッジＢを容易に装着することができる。
【００４６】
又、図１６に示すように、画像形成装置Ａの上側に画像読取装置の原稿台１７等が取り付けられた場合でも、前述した図５、図６、図９及び図１０に示したプロセスカートリッジＢの持ち方により、トナー枠体１４の上面側で第２の把手部２２が第１の把手部２１より凹形状に設けられているため、図１６に示すように、画像形成装置ＡにプロセスカートリッジＢを挿入する際、ユーザがプロセスカートリッジＢを把持する右手の親指と原稿台のクリアランス１８が広く取れるため、原稿台１７の高さを抑えた画像形成装置Ａの設計が可能である。
【００４７】
上述した本発明の実施の形態により、ユーザがプロセスカートリッジＢを扱う時の自由度と操作性が向上し、プロセスカートリッジＢに設けた把手部を利用して両手でも片手でも適宜選択して容易に掴むことができ、画像形成装置Ａの設置場所によらず、画像形成装置Ａに対してプロセスカートリッジＢを良好に着脱することができる。
【００４８】
又、前述した実施の形態で示したプロセスカートリッジは単色画像を形成する場合を例示したが、本発明に係るプロセスカートリッジは現像手段を複数設け、複数色の画像（例えば２色画像、３色画像或はフルカラー等）を形成するカートリッジにも好適に適用することができる。
【００４９】
又、電子写真感光体としては、前記感光体ドラムに限定されることなく、例えば次のものが含まれる。先ず、感光体としては光導電体が用いられ、光導電体としては例えばアモルファスシリコン、アモルファスセレン、酸化亜鉛、酸化チタン及び有機光導電体（ＯＰＣ）等が含まれる。
【００５０】
又、前記感光体を搭載する形状としては例えばドラム状又はベルト状のものが用いられており、例えばドラムタイプの感光体にあっては、アルミ合金等のシリンダ上に光導電体を蒸着或は塗工を行ったものである。
【００５１】
又、現像方法としても、公知の２成分磁気ブラシ現像法、カスケード現像法、タッチダウン現像法、クラウド現像法等の種々の現像法を用いることが可能である。
【００５２】
又、帯電手段の構成も、前述した実施の形態では所謂接触帯電方法を用いたが、他の構成として従来から用いられているタングステンワイヤーの三方周囲にアルミ等の金属シールドを施し、前記タングステンワイヤーに高電圧を印加することによって生じた正又は負のイオンを感光体ドラムの表面に移動させ、該ドラムの表面を一様に帯電する構成を用いても良いことは当然である。
【００５３】
尚、前記帯電手段としては前記ローラ型以外にも、ブレード（帯電ブレード）、パッド型、ブロック型、ロッド型、ワイヤ型等のものでも良い。
【００５４】
又、感光体ドラムに残存するトナーのクリーニング方法としても、ブレード、ファーブラシ、磁気ブラシ等を用いてクリーニング手段を構成しても良い。
【００５５】
又、前述したプロセスカートリッジとは、例えば電子写真感光体と、少なくともプロセス手段の１つを備えたものである。従って、そのプロセスカートリッジの態様としては、前述した実施形態のもの以外にも、例えば、電子写真感光体と現像手段とを一体的にカートリッジ化し、装置本体に着脱可能にするもの。更には電子写真感光体と、現像手段と、帯電手段又はクリーニング手段の何れかを組み合わせて一体的にカートリッジ化し、装置本体に着脱可能にするもの等がある。
【００５６】
即ち、前述したプロセスカートリッジとは、少なくとも現像手段と電子写真感光体とを一体的にカートリッジ化して画像形成装置に着脱可能とするものを言う。そして、このプロセスカートリッジは、使用者自身が装置本体に着脱することができる。従って、装置本体のメンテナンスを使用者自身で行うことができる。
【００５７】
更に、前述した実施の形態では、電子写真画像形成装置としてレーザービームプリンタを例示したが、本発明はこれに限定する必要はなく、例えば、電子写真複写機、ＬＥＤプリンタ等の電子写真プリンタ、ファクシミリ装置、ワードプロセッサ、或はこれらの複合機（マルチファンクションプリンタ等）等の電子写真画像形成装置に使用することも当然可能である。
【図面の簡単な説明】
【００５８】
【図１】本発明の実施の形態に係るプロセスカートリッジの持ち方を表す状態説明図である。
【図２】本発明の実施の形態に係るプロセスカートリッジの持ち方を表す状態説明図である。
【図３】本発明の実施の形態に係るプロセスカートリッジの外観斜視図である。
【図４】本発明の実施の形態に係るプロセスカートリッジの外観斜視図である。
【図５】本発明の実施の形態に係るプロセスカートリッジの持ち方を表す状態説明図である。
【図６】本発明の実施の形態に係るプロセスカートリッジの持ち方を表す状態説明図である。
【図７】本発明の実施の形態に係るプロセスカートリッジの持ち方を表す状態説明図である。
【図８】本発明の実施の形態に関わるプロセスカートリッジの持ち方を表す状態説明図である。
【図９】本発明の実施の形態に係るプロセスカートリッジの持ち方を表す状態説明図である。
【図１０】本発明の実施の形態に係るプロセスカートリッジの持ち方を表す状態説明図である。
【図１１】本発明の実施の形態に係る電子写真画像形成装置の模式断面図である。
【図１２】本発明の実施の形態に係るプロセスカートリッジの模式断面図である。
【図１３】本発明の実施の形態に係る電子写真画像形成装置の外観斜視図である。
【図１４】本発明の実施の形態に係るプロセスカートリッジの装着構成説明図である。
【図１５】本発明の実施の形態に係るプロセスカートリッジの装着構成説明図である。
【図１６】本発明の実施の形態に係るプロセスカートリッジの装着を説明する図である。
【符号の説明】
【００５９】
Ａ      画像形成装置
Ｂ      プロセスカートリッジ
１      光学系
２      記録媒体
３      搬送手段
３ａ    カセット
３ｂ    ピックアップローラ
３ｃ    圧接部材
３ｄ    排出ローラ
３ｆ１，３ｆ２  搬送ガイド
４      転写ローラ
５      定着手段
５ａ    駆動ローラ
５ｂ    ヒータ
５ｃ    支持体
５ｄ    定着回転体
６      排出部
７      感光体ドラム
８      帯電ローラ
９ａ    転写開口
９ｂ    露光開口
１０    現像ユニット
１０ａ    トナー室
１０ｂ    トナー送り部材
１０ｃ    固定磁石
１０ｄ    現像ローラ
１０ｅ    現像ブレード
１０ｆ１  現像枠体
１０ｇ    端部部材
１０ｇａ  穴
１０ｈ    端部部材
１０ｈａ  穴
１０ｉ    現像室
１０ｍ    スペーサ
１０ｐ１，１０ｐ２  結合穴
１０ｑ１，１０ｑ２  アーム部
１１    ドラムユニット
１１ａ    クリーニングブレード
１１ｂ    スクイシート
１１ｃ    除去トナー収容部
１１ｄ    ドラム枠体
１１ｈ    シール部材
１２    弾性シート
１３ａ    ダボ
１３ｂ    ガイド
１４    トナー枠体
１４ａ    容器本体
１４ｂ    蓋部材
１５    開閉部材
１６    ガイド部材
１６ａ，１６ｂ  ガイド部
１６ｆ    仮位置決め部
１７    原稿台
１８    クリアランス
１９ａ    ダボ
１９ｂ    ガイド
２０    ガイド部材
２０ａ，２０ｂ  ガイド部
２０ｆ    位置決め部
２１    第１の把手部
２１ａ，２１ｂ  把持位置
２２    第２の把手部
２２ａ，２２ｂ  把持位置
２３，２４  リブ
２５，２６  把持面
６０    カートリッジ装着スペース
６４    駆動伝達部材
６５    三角カップリング
【図１】
2006058757.tif 000003
【図２】
2006058757.tif 000004
【図３】
2006058757.tif 000005
【図４】
2006058757.tif 000006
【図５】
2006058757.tif 000007
【図６】
2006058757.tif 000008
【図７】
2006058757.tif 000009
【図８】
2006058757.tif 000010
【図９】
2006058757.tif 000011
【図１０】
2006058757.tif 000012
【図１１】
2006058757.tif 000013
【図１２】
2006058757.tif 000014
【図１３】
2006058757.tif 000015
【図１４】
2006058757.tif 000016
【図１５】
2006058757.tif 000017
【図１６】
2006058757.tif 000018